(57)【特許請求の範囲】
【請求項１】
情報貯蔵媒体に記録されたコンテンツをインタラクティブモードにて再生するための方法において、
（ａ） 前記コンテンツをインタラクティブモードにて再生するために必要な情報をインターネットより受信する段階と、
（ｂ） 受信された情報に基づいて前記コンテンツをインタラクティブモードにて再生する段階とを含み、
前記情報貯蔵媒体には所定サーバー装置より再生制御情報ファイルをダウンロードされて再生することを意図的に指示する情報を含むマークアップ文書を貯蔵させ、前記サーバー装置に新たな再生制御情報ファイルがアップデートされる度にインタラクティブ画面をアップデートすることを特徴とする再生方法。
【請求項２】
前記（ａ）段階は、
（ａ１）前記情報貯蔵媒体にインタラクティブモードにて再生するための情報の記録有無を確認する段階と、
（ａ２）記録されていない場合、前記情報を前記サーバー装置に要請して受信する段階とを含むことを特徴とする請求項１に記載の再生方法。
【請求項３】
前記（ａ２）段階は、
（ａ２１）前記コンテンツの識別子を前記サーバー装置に伝送する段階と、
（ａ２２）前記サーバー装置から前記識別子に対応する再生制御情報ファイル及びマークアップ文書のうち少なくとも１つを受信する段階とを含むことを特徴とする請求項２に記載の再生方法。
【請求項４】
前記情報貯蔵媒体の製作時点後に製作される新たな再生制御構造を予想して情報貯蔵媒体の製作時点で予め新たな再生制御情報ファイルのリンク情報が載せられたマークアップ文書を貯蔵し、将来に該当ビデオタイトルとマークアップ文書とが共に再生される時、新たなインタラクティブ画面が再生される結果が得られることを特徴とする請求項１に記載の再生方法。
【請求項５】
ディスクに記録されたビデオタイトルをインタラクティブモードにて再生するための方法において、
（ａ）前記ビデオタイトルをインタラクティブモードにて再生するために必要な情報をインターネットを通じて所定のサーバー装置に要請して受信する段階と、
（ｂ）受信された情報に基づいて前記ビデオタイトルをインタラクティブモードにて再生する段階とを含み、
前記（ａ）段階は、
（ａ１２１）前記ビデオタイトルをインタラクティブモードにて再生するために必要な再生制御情報ファイルをダウンロードするためのマークアップ文書を受信する段階と、
（ａ１２２） 前記（ａ１２１）段階で受信されたマークアップ文書にリンクされた再生制御情報ファイルを受信する段階とを含むことを特徴とすることを特徴とする再生方法。
【請求項６】
前記（ａ）段階は、
（ａ１） 前記ビデオタイトルをインタラクティブモードにて再生するために必要な再生制御情報ファイル及びマークアップ文書を要請して受信する段階を含むことを特徴とする請求項５に記載の再生方法。
【請求項７】
前記（ａ１）段階は、
（ａ１１） 前記サーバー装置に前記ビデオタイトルの識別子を伝送する段階と、
（ａ１２） 前記識別子に対応する再生制御情報ファイル及びマークアップ文書のうち少なくとも１つを受信する段階とを含むことを特徴とする請求項６に記載の再生方法。
【請求項８】
前記（ａ１１）段階は、
前記サーバー装置より前記ビデオタイトルの識別子認識用クライアント実行コードが記録されたマークアップ文書を受信する段階を含むことを特徴とする請求項６に記載の再生方法。
【請求項９】
前記（ａ１２１）段階のマークアップ文書には、前記再生制御情報ファイルがリンクされたリンクタグが挿入されているか、あるいは前記再生制御情報ファイルを検索するためのＡＰＩを呼び出す実行コードが挿入されていることを特徴とする請求項５に記載の再生方法。
【請求項１０】
前記リンクタグを用いてテキストデータを検索することを特徴とする請求項１０に記載の再生方法。
【請求項１１】
前記リンクタグを用いて探そうとするテキストデータの識別コードと一致する該当テキストデータを検索するか、あるいは既に検索したテキストデータの記録位置よりｎ番目の以前または以後に記録されたテキストデータを検索することを特徴とする請求項１１に記載の再生方法。
【請求項１２】
前記再生制御情報ファイル内に再生制御目的の再生制御情報ファイルであることを示す指示情報が挿入されていることを特徴とする請求項１０に記載の再生方法。
【請求項１３】
前記指示情報によりダウンロードされた再生制御情報ファイルを再生制御用として使用するか、あるいはテキストデータ情報として使用するかを判断することを特徴とする請求項１３に記載の再生方法。
【請求項１４】
前記指示情報によりダウンロードされた再生制御情報ファイルが再生制御用として判断されるまでは、前記ダウンロードされた再生制御情報ファイルをテキストデータ読出し用途だけで使用することを特徴とする請求項１３に記載の再生方法。
【請求項１５】
情報貯蔵媒体に記録されたコンテンツをインタラクティブモードにて再生するための装置において、
前記コンテンツを読出すための読出部と、
読出されたコンテンツをデコーディングするデコーダと、
前記コンテンツをインタラクティブモードにて再生するために必要な情報をインターネットを通じて外部から受信するネットワークデータ送受信部とを含み、
前記情報貯蔵媒体から読出された、または前記ネットワークデータ送受信部により受信されたインタラクティブモードにて再生するために必要な情報を用いて前記コンテンツをインタラクティブモードにて再生し、
前記情報貯蔵媒体には、所定サーバー装置より再生制御情報ファイルをダウンロードされて再生することを意図的に指示する情報を含むマークアップ文書を貯蔵させ、前記サーバー装置に新たな再生制御情報ファイルがアップデートされる度にインタラクティブ画面の内容をアップデートすることを特徴とする装置。
【請求項１６】
前記インタラクティブモードにて再生するのに必要な情報は前記コンテンツを再生するための再生制御情報ファイル及び前記コンテンツと共に表示されるためのマークアップ文書を含み、
前記再生制御情報ファイル及び前記マークアップ文書を解釈して実行または再生するためのプレゼンテーションエンジンと、
デコーディングされたコンテンツ及び再生されたマークアップ文書をブレンディングするブレンダーとをさらに含むことを特徴とする請求項１６に記載の装置。
【請求項１７】
前記ネットワークデータ送受信部は、前記コンテンツの識別子を前記サーバー装置に伝送し、前記サーバー装置より前記識別子に対応するインタラクティブコンテンツを受信することを特徴とする請求項１６に記載の装置。
【請求項１８】
前記情報貯蔵媒体の製作時点後に製作される新たな再生制御構造を予想して情報貯蔵媒体の製作時点であらかじめ新たな再生制御情報ファイルのリンク情報を含むマークアップ文書を貯蔵して将来に該当ビデオタイトルとマークアップ文書とが共に再生される時、新たなインタラクティブ画面が再生されることを特徴とする請求項１６に記載の装置。
【請求項１９】
ディスクに記録されたビデオタイトルをインタラクティブモードにて再生するための装置において、
前記ビデオタイトルをインタラクティブモードにて再生するために必要な情報をインターネットを通じて所定のサーバー装置に要請して受信するネットワークデータ送受信部を含み、
受信された情報に基づいて前記ビデオタイトルをインタラクティブモードにて再生し、
前記ネットワークデータ送受信部は、前記ビデオタイトルをインタラクティブモードにて再生するために必要な再生制御情報ファイルをダウンロードするためのマークアップ文書を受信し、受信されたマークアップ文書にリンクされた再生制御情報ファイルを受信し、受信された再生制御情報ファイルには前記初期開始マークアップ文書が設定されていることを特徴とする装置。
【請求項２０】
前記ネットワークデータ送受信部は、前記ビデオタイトルをインタラクティブモードにて再生するために必要な再生制御情報ファイル及びマークアップ文書を前記サーバー装置に要請して受信することを特徴とする請求項２０に記載の装置。
【請求項２１】
前記ネットワークデータ送受信部は、前記サーバー装置に前記ビデオタイトルの識別子を伝送し、前記識別子に対応する再生制御情報ファイル及びマークアップ文書を受信することを特徴とする請求項２０に記載の装置。
【請求項２２】
前記ネットワークデータ送受信部は、前記サーバー装置より前記ビデオタイトルの識別子認識用クライアント実行コードが記録されたマークアップ文書を受信することを特徴とする請求項２０に記載の装置。
【請求項２３】
前記マークアップ文書には、前記再生制御情報ファイルがリンクされたリンクタグが挿入されているか、あるいは前記再生制御情報ファイルを検索するためのＡＰＩを呼び出す実行コードが挿入されていることを特徴とする請求項２０に記載の装置。
【請求項２４】
前記リンクタグを用いてテキストデータを検索することを特徴とする請求項２４に記載の装置。
【請求項２５】
前記リンクタグを用いて探そうとするテキストデータの識別コードと一致する該当テキストデータを検索するか、あるいは既に検索したテキストデータの記録位置よりｎ番目の以前または以後に記録されたテキストデータを検索することを特徴とする請求項２５に記載の装置。
【請求項２６】
前記再生制御情報ファイル内に再生制御目的の再生制御情報ファイルであることを示す指示情報が挿入されていることを特徴とする請求項２４に記載の装置。
【請求項２７】
前記指示情報によりダウンロードされた再生制御情報ファイルを再生制御用として使用するか、あるいはテキストデータ情報として使用するかを判断することを特徴とする請求項２７に記載の装置。
【請求項２８】
前記指示情報によりダウンロードされた再生制御情報ファイルが再生制御用と判断されるまでは前記再生制御情報ファイルをテキストデータ読出し用途だけで使用することを特徴とする請求項２８に記載の装置。
【発明の詳細な説明】
【０００１】
【発明の属する技術分野】
本発明は情報貯蔵媒体に記録されたコンテンツをインタラクティブモードにて再生する方法及びその装置に関する。
【０００２】
【従来の技術】
パソコン（ＰＣ）を基盤にインタラクティブモードにて再生可能なインタラクティブＤＶＤが提案されている。インタラクティブＤＶＤとは、ＡＶデータと共にマークアップ文書が記録されたＤＶＤ（以下、“インタラクティブＤＶＤ”と称する）が提案されている。インタラクティブＤＶＤに記録されたＡＶデータは２つの方法で再生されうる。１つは一般のＤＶＤと同一にディスプレーされるビデオモードであり、他の１つは再生されたＡＶデータがマークアップ文書により定義された表示窓を通じてディスプレーされるインタラクティブモードである。インタラクティブモードで表示されるディスプレー画面はインタラクティブ画面という。
【０００３】
使用者によりインタラクティブモードが選択されればＰＣに搭載されたブラウザーはインタラクティブＤＶＤに記録されているマークアップ文書を解釈してディスプレーする。マークアップ文書の表示窓には使用者が選択したＡＶデータが表示される。マークアップ文書としては、代表的にＨＴＭＬ文書が挙げられる。例えば、ＡＶデータが映画である場合、ＨＴＭＬ文書の表示窓には動映像が出力され、残りの部分には映画の台本、ストーリ、出演俳優の写真など映画に関する多様な付加情報が表示されうる。付加情報はタイトル（ＡＶデータ）と同期されて表示されることもある。例えば、特定の出演俳優の登場と同時に、その俳優の履歴情報が載せられたマークアップ文書が呼び出されて表示される場合が挙げられる。
【０００４】
ところが、従来のＤＶＤ−Ｖｉｄｅｏにはインタラクティブ機能を支援する情報が記録されていないために、インタラクティブモードにて再生できない。換言すれば、インタラクティブ機能を支援する情報が記録されていない情報貯蔵媒体に記録されたコンテンツはインタラクティブモードにて再生できない。
【０００５】
合わせて、インタラクティブモードを支援するディスクであってもインタラクティブ画面に表示される内容はアップデートできない。
【０００６】
【発明が解決しようとする課題】
したがって、本発明の目的は、インタラクティブモードにて再生するために必要な情報が記録されていない情報貯蔵媒体に記録されたコンテンツをインタラクティブモードにて再生できる方法及びその装置を提供するところにある。
【０００７】
本発明の他の目的は、インタラクティブ機能を支援しないディスクに記録されたコンテンツをインタラクティブモードにて再生できる方法及びその装置を提供するところにある。
【０００８】
本発明のさらに他の目的は、インタラクティブモードにて再生するに当たってマークアップ文書画面の内容をアップデートできる方法及びその装置を提供するところにある。
【０００９】
本発明のさらに他の目的は、インタラクティブモードにて再生するに当たってマークアップ文書に連結したテキストデータ情報を読出せる方法及びその装置を提供するところにある。
【００１０】
【課題を解決するための手段】
前記技術的な課題を解決するために、情報貯蔵媒体に記録されたコンテンツをインタラクティブモードにて再生するための方法において、（ａ） 前記コンテンツをインタラクティブモードにて再生するために必要な情報をインターネットまたは前記情報貯蔵媒体より受信または読出す段階と、（ｂ） 受信または読出された情報に基づいて前記コンテンツをインタラクティブモードにて再生する段階とを含むことを特徴とする再生方法によって達成される。
【００１１】
前記（ａ）段階は、（ａ１） 前記情報貯蔵媒体にインタラクティブモードにて再生するための情報の記録有無を確認する段階と、（ａ２） 記録されていない場合、前記情報を所定サーバーに要請して受信する段階とを含むことが望ましい。
【００１２】
前記（ａ２）段階は、（ａ２１） 前記コンテンツの識別子を前記サーバー装置に伝送する段階と、（ａ２２） 前記サーバー装置から前記識別子に対応する再生制御情報ファイル及びマークアップ文書のうち少なくとも１つを受信する段階とを含むことが望ましい。
【００１３】
また、ディスクに記録されたビデオタイトルをインタラクティブモードにて再生するための方法において、（ａ） 前記ビデオタイトルをインタラクティブモードにて再生するために必要な情報をインターネットを通じて所定のサーバー装置に要請して受信する段階と、（ｂ） 受信された情報に基づいて前記ビデオタイトルをインタラクティブモードにて再生する段階とを含むことを特徴とする再生方法によっても達成される。
【００１４】
前記（ａ）段階は、（ａ１） 前記ビデオタイトルをインタラクティブモードにて再生するために必要な再生制御情報ファイル及びマークアップ文書を要請して受信する段階を含み、前記（ａ１）段階は、（ａ１１） 前記サーバー装置に前記ビデオタイトルの識別子を伝送する段階と、（ａ１２） 前記識別子に対応する再生制御情報ファイル及びマークアップ文書のうち少なくとも１つを受信する段階とを含み、前記（ａ１１）段階は、前記サーバー装置より前記ビデオタイトルの識別子認識用クライアント実行コードが記録されたマークアップ文書を受信する段階を含むことが望ましい。
【００１５】
前記（ａ１２）段階は、（ａ１２１） 前記再生制御情報ファイルをダウンロードするためのマークアップ文書を受信する段階と、（ａ１２２） 前記（ａ１２１）段階で受信されたマークアップ文書にリンクされた再生制御情報ファイルを受信する段階とを含むことが望ましい。
【００１６】
前記（ａ１２１）段階のマークアップ文書には、前記再生制御情報ファイルがリンクされたリンクタグが挿入されているか、あるいは前記再生制御情報ファイルを検索するためのＡＰＩを呼び出す実行コードが挿入されていることが望ましい。前記リンクタグを用いてテキストデータを検索でき、前記再生制御情報ファイル内に再生制御目的の再生制御情報ファイルであることを示す指示情報が挿入されていることが望ましい。
【００１７】
一方、前記目的は、本発明の他の分野によれば、情報貯蔵媒体に記録されたコンテンツをインタラクティブモードにて再生するための装置において、前記コンテンツを読出すための読出部と、読出されたコンテンツをデコーディングするデコーダと、前記コンテンツをインタラクティブモードにて再生するために必要な情報をインターネットを通じて外部から受信するネットワークデータ送受信部とを含み、前記情報貯蔵媒体から読出された、または前記ネットワークデータ送受信部により受信されたインタラクティブモードにて再生するために必要な情報を用いて前記コンテンツをインタラクティブモードにて再生することを特徴とする装置によっても達成される。
【００１８】
前記インタラクティブモードにて再生するのに必要な情報は前記コンテンツを再生するための再生制御情報ファイル及び前記コンテンツと共に表示されるためのマークアップ文書を含み、前記再生制御情報ファイル及び前記マークアップ文書を解釈して実行または再生するためのプレゼンテーションエンジンと、デコーディングされたコンテンツ及び再生されたマークアップ文書をブレンディングするブレンダーとをさらに含むことが望ましい。
【００１９】
前記ネットワークデータ送受信部は、前記コンテンツの識別子をサーバー装置に伝送し、前記サーバー装置より前記識別子に対応するインタラクティブコンテンツを受信する。
【００２０】
また、前記目的は、ディスクに記録されたビデオタイトルをインタラクティブモードにて再生するための装置において、前記ビデオタイトルをインタラクティブモードにて再生するために必要な情報をインターネットを通じて所定のサーバー装置に要請して受信するネットワークデータ送受信部を含み、受信された情報に基づいて前記ビデオタイトルをインタラクティブモードにて再生することを特徴とする装置によっても達成される。
【００２１】
前記ネットワークデータ送受信部は、前記ビデオタイトルをインタラクティブモードにて再生するために必要な再生制御情報ファイル及びマークアップ文書を前記サーバー装置に要請して受信することが望ましい。
【００２２】
前記ネットワークデータ送受信部は、前記サーバー装置に前記ビデオタイトルの識別子を伝送し、前記識別子に対応する再生制御情報ファイル及びマークアップ文書を受信することが望ましい。
【００２３】
【発明の実施の形態】
以下、添付した図に基づき、本発明の望ましい実施例を詳細に説明する。本明細書において「マークアップ文書」はＸＭＬ、ＳＧＭＬなどのマークアップ言語にて作成された文書はもとより、スクリプト言語（例えば、ジャバスクリプト）または実行コード（例えば、ジャバアプレット）にて作成されたソースコード、または実行コードがリンクされたり、挿入された文書を総称し、尚且つ、マークアップ文書に挿入されて画面表示に使われるファイルを網羅する意味として使われる。すなわち、マークアップ文書はＡＶデータをインタラクティブモードにて再生するのに必要な一種のアプリケーションである。「インタラクティブ画面」はインタラクティブモードにて再生する時い現れる画面であって、ＡＶ画面がマークアップ文書画面に埋込まれて見られる。「ＡＶ画面」はＡＶデータが再生され、ディスプレーされて使用者の目に感知される画面を意味し、「マークアップ文書画面」はマークアップ文書が再生及びディスプレーされて使用者の目に感知される画面を意味する。
【００２４】
本発明に係る再生装置は、本実施例に係るディスク１００がインタラクティブモードを支援する場合はもちろん、インタラクティブモードを支援しないディスクの場合にもインタラクティブモードにて再生可能にする。さらに、ディスク１００に記録されたコンテンツと共にディスプレーされるマークアップ文書画面の内容をアップデート可能にする。
【００２５】
図１は、本発明の望ましい実施例に係る再生システムの概要図である。再生システムは、ディスク１００、再生装置２００、本実施例に係るディスプレー装置であってＴＶ３００及びリモコン４００を含む。リモコン４００は、使用者の制御命令を送信して再生装置２００に伝達する。再生装置２００は、使用者の制御命令によってディスク１００にインタラクティブモードにて再生するために必要な情報が記録されていない場合、インターネットに接続して必要な情報をダウンロードされて該当コンテンツをインタラクティブモードにて再生してＴＶ３００に伝達する。また、使用者の制御命令によってインターネットに接続してディスク１００に記録されたコンテンツの新たなバージョンをダウンロードされる。ＴＶ３００は、再生装置２００から受信されたコンテンツ及び／または情報をディスプレーする。
【００２６】
図２は、図１の再生装置２００の機能ブロック図である。再生装置２００は、読出部１、バッファメモリ２、キャッシュメモリ３、デコーダ４、プレゼンテーションエンジン５、ネットワークデータ送受信部６及びブレンダー７を含む。
【００２７】
読出部１は、本実施例に係るディスク、ＤＶＤ（Ｄｉｇｉｔａｌ Ｖｅｒｓａｔｉｌｅ Ｄｉｓｃ）１００からデータを読出す。バッファメモリ２は、読出部１により読出されたＡＶ（Ａｕｄｉｏ／Ｖｉｄｅｏ）データをバッファリングする。キャッシュメモリ３は、読出部１から読出されたマークアップ文書またはネットワークデータ送受信部６がインターネットから受信したマークアップ文書などをキャッシングする。プレゼンテーションエンジン５は、読出されたマークアップ文書を解釈して表示窓の位置を確認した後、ここにデコーダ４から出力されたＡＶデータストリームを表示窓にディスプレーさせる。ネットワークデータ送受信部６は挿入されたディスク１００がインタラクティブモードを支援しないディスクである場合、インタラクティブモードにて再生するのに必要な情報、再生制御情報ファイル及びマークアップ文書をインターネットから読取る。ブレンダー７は、デコーディングされたＡＶデータ及びマークアップ文書をブレンディングしてＴＶ３００に出力する。
【００２８】
図３は、図１のリモコン４００の一例である。リモコン４００には多様な機能ボタンが備えられている。ＴＶボタン４１は外部から放送信号を受信してＴＶ３００を通じて視聴するためのボタンであり、ＤＶＤボタン４２は、再生装置２００から提供されたＡＶデータをＴＶ３００を通じて視聴するためのボタンである。リモコン４００の上方前面にはチャンネル番号などを選択するための数字／特殊文字ボタン４３が配されている。セットアップ４４は、再生装置をセットアップするためにＯＳＤ（Ｏｎ Ｓｃｒｅｅｎ Ｄｉｓｐｌａｙ）メニューを呼び出すボタンであり、Ｈ／Ｅ４５は言語転換ボタンであり、ＳＰ４６はスペースボタンであり、ＤＥＬ４７は削除ボタンである。Ｓｃｒｅｅｎ Ｍｏｄｅ４８は画面のディスプレーモードを変換するためのボタンであり、Ｍｅｎｕ４９はメニュー画面を呼び出すためのボタンであり、Ｃｏｎｔｅｎｔ Ｉｎｆｏ５０は本発明によってインターネットから所定情報をダウンロードされるためのボタンである。参照番号５２は、ＴＶ３００のディスプレー画面に表示されたハイライト情報を移動させる方向キーである。Ｅｎｔｅｒ５１はハイライト情報が位置されたメニューを選択するためのボタンである。ビデオタイトルの再生時、使用者はＡｕｄｉｏ５３を用いてオーディオの言語を切り換え、ＳｕｂＴｉｔｌｅ５４を用いて字幕の言語を切り換え、Ａｎｇｌｅ５５を用いて画面のアングルを切り換え得る。Ｆｏｃｕｓ ｃｈａｎｇｅ５８はディスプレー画面上で現在のハイライト情報を移動させるのに使われる。Ｒｅｔｕｒｎ５７は階層構造よりなるメニューにおいて階層間の移動のために使われる。Ｅｘｉｔ５６はメニュー画面からビデオタイトルの再生画面に移動するためのボタンである。図３のリモコン４００は、ビデオタイトルが記録されたＤＶＤ１００に対応して備えられた一例であるために、具体的な機能ボタン及びその個数は変更できる。また、機能ボタンのうち少なくとも一部をＯＳＤメニューに組み込みでき、逆に、ＯＳＤメニューの一部を機能ボタンとして具現しうる。
【００２９】
図４は、インタラクティブモードを支援するディスクのディレクトリ構造の一例を示す図である。ルートディレクトリにはＡＶデータが含まれたビデオディレクトリＶＩＤＥＯ＿ＴＳが備えられている。ディレクトリＶＩＤＥＯ＿ＴＳにはビデオタイトル全体に亘って再生制御情報が記録されたファイルＶＩＤＥＯ＿ＴＳ．ＩＦＯが配されている。ＶＩＤＥＯ＿ＴＳ．ＩＦＯにはビデオタイトルに対してデフォルト値に指定された言語情報が記録されている。次いで、最初のビデオタイトルセットに関する再生制御情報が記録されたファイルＶＴＳ＿０１＿０．ＩＦＯが記録されており、ビデオタイトルセットを構成するＶＴＳ＿０１＿０．ＶＯＢ，ＶＴＳ＿０１＿１．ＶＯＢ，‥が記録されている。ＶＴＳ＿０１＿０．ＶＯＢ，ＶＴＳ＿０１＿１．ＶＯＢ，‥はビデオタイトルセットを構成するビデオタイトル、すなわちビデオオブジェクト（Ｖｉｄｅｏ Ｏｂｊｅｃｔ）である。各ＶＯＢにはナビゲーションパック、ビデオパック、及びオーディオパックで構成されたＶＯＢＵが含まれている。より詳細な構成はＤＶＤ−Ｖｉｄｅｏ標準案「ＤＶＤ−Ｖｉｄｅｏ ｆｏｒ Ｒｅａｄ Ｏｎｌｙ Ｍｅｍｏｒｙ ｄｉｓｃ１．０」に開示されている。
【００３０】
また、ルートディレクトリにはインタラクティブモードを支援するための情報が貯蔵されたインタラクティブディレクトリＤＶＤ＿ＥＮＡＶが備えられている。ディレクトリＤＶＤ＿ＥＮＡＶには再生制御情報ファイルＤＶＤ＿ＥＮＡＶ．ＩＦＯが記録されている。例えば、再生制御情報ファイルには該当ディレクトリの定義、構成、含まれたタイトルの数、タイトルに関する基本情報、タイトルに使われた言語、タイトルに対してＶＩＤＥＯ＿ＴＳ．ＩＦＯとＶＴＳ＿０１＿０．ＩＦＯなどを代えられる再生制御情報、字幕、フォント等に関する情報、解像度と色相などのマークアップ文書表示情報、著作権情報及びコンテンツ提供者が制作して挿入したテキストデータ情報などが記録される。著作権情報としてはＩＳＲＣ（Ｉｎｔｅｒｎａｔｉｏｎａｌ Ｓｔａｎｄａｒｄ Ｒｅｃｏｒｄｉｎｇ Ｃｏｄｅ）が記録されうる。ＩＳＲＣは、音楽、歌、ミュージックビデオなどを識別するために使われる国際規格コードであって、ＲＩＡＡ（Ｒｅｃｏｒｄｉｎｇ Ｉｎｄｕｓｔｒｙ Ａｓｓｏｃｉａｔｉｏｎ ｏｆ Ａｍｅｒｉｃａ）により与えられる。ＩＳＲＣは、ビデオタイトル識別子として使用されうる。テキストデータ情報には所定のテキストデータ構造を有し、テキストデータを検索する所定のＡＰＩが提供されうる。さらに、ディレクトリＤＶＤ＿ＥＮＡＶにはビデオタイトルと共に表示されるための初期開始マークアップ文書ＩＮＤＥＸ．ＸＭＬ、その他のマークアップ文書が貯蔵される。また、マークアップ文書に挿入されて共に表示されるべきファイルなども貯蔵されうる。
【００３１】
一方、ディスクの背面にはＢＣＡ（Ｂｕｒｓｔ Ｃｕｔｔｉｎｇ Ａｒｅａ）ｃｏｄｅが記録されうる。ＢＣＡコードは著作権などの保護のためにディスク内側の円周に沿ってバーコードとして記録される。ＢＣＡコードはディスク識別子として使用されうる。ディスク識別子及びビデオタイトル識別子はＢＣＡコード及びＩＳＲＣ以外に他のコード（例えば、ＵＰＣコード）として他の位置に記録されうる。
【００３２】
図５は、インタラクティブモードを支援するディスクを再生する過程を概略的に説明するための参考図である。使用者がインタラクティブディスクを挿入すれば再生装置はディスクに記録された再生制御情報ファイルのＤＶＤ＿ＥＮＡＶ．ＩＦＯを読取った後、再生制御情報ファイルを解釈して初期開始マークアップ文書として指定されたＩＮＤＥＸ．ＸＭＬを読取る。初期開始マークアップ文書ＩＮＤＥＸ．ＸＭＬに再生制御情報ファイルがリンクされていれば、これに基づいて該当ビデオタイトルをインタラクティブモードにて再生する。ディスク上の再生制御情報ファイルは初期開始マークアップ文書からテキストデータを読取ると、（ａ）のように何も表示されていない状態で、（ｃ）のようにビデオタイトルが再生されたＡＶ画面とマークアップ文書が再生された画面が共に表示されるインタラクティブモードにてディスプレーされる。
【００３３】
次は、ディスク１００から読込まれたＩＮＤＥＸ．ＸＭＬの一例である。
【００３４】
【表１】
0003953405.tif 000002
前記ソースコードにおいて＜ｌｉｎｋ ｒｅｌ＝“ｄｖｄ−ｘｉｆｏ” ｔｙｐｅ＝“ａｐｐｌｉｃａｔｉｏｎ／ｄｖｄ−ｘｉｆｏ” ｈｒｅｆ＝“ｄｖｄ：／／ｄｖｄ＿ｅｎａｖ／ｄｖｄ＿ｅｎａｖ．ｉｆｏ”ｉｄ＝“ｘｉｆｏ”／＞はディスク１００に記録されているファイルＤＶＤ＿ＥＮＡＶ．ＩＦＯに基づいて該当ビデオタイトルを再生することを指示する。また、このリンクタグはファイルＤＶＤ＿ＥＮＡＶ．ＩＦＯ内部のテキストデータを持ってくる方法も提供する。例えば、前記ソースコードのｘｉｆｏ．ＦｉｎｄＴｅｘｔＤａｔａ（１０００）；はＤＶＤ＿ＥＮＡＶ．ＩＦＯのＩＤＣＤが１０００である値のテキストアイテムを探してｘｉｆｏ．ＴｅｘｔＤａｔａに持って来ることを意味する。Ｘｉｆｏ．ＴｅｘｔＤａｔａに貯蔵されたデータはｘ＝ｘｉｆｏ．ＴｅｘｔＤａｔａ方法で読取って使用しうる。このようなテキストデータ読出し方法ではマークアップ文書に複数の再生制御情報ファイルを連結することもできる。次はリンクタグのエレメントに連結されているテキストデータを取り扱うためのスクリプト言語用インターフェース構造である。
【００３５】
【表２】
0003953405.tif 000003
したがって、リンクタグを用いて探そうとするテキストデータの識別コードと一致する識別コードがファイルＤＶＤ＿ＥＮＡＶ．ＩＦＯから発見されれば、該当アイテムテキストの開始アドレスを探して該当テキストデータを検索するか、あるいは既に検索したテキストデータの記録位置からｎ番目の以前または以後に記録されたテキストデータを検索できる。
【００３６】
図６は、インタラクティブモードを支援しないディスクのディレクトリ構造の一例を示す図である。ルートディレクトリにはＡＶデータが含まれたビデオディレクトリＶＩＤＥＯ＿ＴＳが備えられている。ＶＩＤＥＯ＿ＴＳにはディスクに記録されたビデオタイトルに関する再生制御情報が記録されたファイルＶＩＤＥＯ＿ＴＳ．ＩＦＯが備えられている。特に、ＶＩＤＥＯ＿ＴＳ．ＩＦＯにはディスクまたはビデオタイトルに対する識別子が記録されている。残りのデータ構造は、図４の説明と同一なのでその詳細な説明は省略する。
【００３７】
一方、ルートディレクトリには、インタラクティブモードを支援するための情報が貯蔵されたインタラクティブディレクトリが存在しない。すなわち、再生制御情報ファイルＤＶＤ＿ＥＮＡＶ．ＩＦＯ及び初期開始マークアップ文書ＩＮＤＥＸ．ＸＭＬが貯蔵されていない。
【００３８】
図７は、インタラクティブモードを支援しないディスクをインタラクティブモードにて再生する過程を概略的に説明するための参考図である。使用者が一般のディスクを挿入すれば再生装置はディスクに記録されたビデオタイトルをビデオモードにて再生する。これにより、（ａ）のように何も表示されていない空いた画面から（ｂ）のように該当ビデオタイトルが再生されたＡＶ画面に変更される。使用者がリモコン４００に備えられたＣｏｎｔｅｎｔ Ｉｎｆｏ５０を押せば、再生装置は外部から再生制御情報ファイルとマークアップ文書とをダウンロードされて該当ビデオタイトルにＤＶＤ＿ＥＮＡＶ．ＩＦＯとＩＮＤＥＸ．ＸＭＬファイルが存在すると認識してこれを用いてインタラクティブモードにて再生する。再生制御情報ファイル及びインタラクティブモード再生のためのマークアップ文書のダウンロード順序は多様に変更できる。これにより、（ｃ）のようにＡＶ画面とマークアップ文書画面とが共に表示されるインタラクティブモードにてディスプレーされる。
【００３９】
次は、インターネットを通じて読取ったＩＮＤＥＸ．ＸＭＬの一例である。
【００４０】
【表３】
0003953405.tif 000004
前記ソースコードにおいて＜ｌｉｎｋ ｒｅｌ＝“ｄｖｄ−ｘｉｆｏ” ｔｙｐｅ＝“ａｐｐｌｉｃａｔｉｏｎ／ｄｖｄ−ｘｉｆｏ” ｈｒｅｆ＝“ｈｔｔｐ：／／ｗｗｗ．ｈｏｌｌｙｗｏｏｄ．ｃｏｍ／ｓｔａｒｗａｒｓ２／ｄｖｄ＿ｅｎａＶ．ｉｆｏ”ｉｄ＝“ｘｉｆｏ”／＞は指示されたＵＲＬ（Ｕｎｉｖｅｒｓａｌ Ｒｅｓｏｕｒｃｅ Ｌｏｃａｔｏｒ）、すなわちｈｔｔｐ： ／／ｗｗｗ．ｈｏｌｌｙｗｏｏｄ．ｃｏｍ／ ｓｔａｒｗａｒｓ２／ｄｖｄ＿ｅｎａＶ．ｉｆｏに貯蔵されているＤＶＤ＿ＥＮＡＶ．ＩＦＯファイルを読取った後、これに基づいて該当ビデオタイトルを再生することを指示する。
【００４１】
代案として、リンクタグを使用せず、次のようなＡＰＩを用いて再生制御情報ファイルを検索する方法も具現しうる。
【００４２】
再生制御情報ファイルＤＶＤ＿ＥＮＡＶ．ＩＦＯを検索するためのＡＰＩ：
ｄｖｄＶｉｄｅｏ．Ｐｌａｙ（“ｄｖｄ：／／ｄｖｄ＿ｅｎａｖ／ｄｖｄ＿ｅｎａＶ．ｉｆｏ”）；
ｄｖｄＶｉｄｅｏ．Ｐｌａｙ（“ｈｔｔｐ：／／ｗｗｗ．ｈｏｌｌｙｗｏｏｄ．ｃｏｍ／ｓｔａｒｗａｒｓ２／ｄｖｄ＿ｅｎａＶ．ｉｆｏ”）；
さらに、ディスク製作者は意図的にオーソリング（ａｕｔｈｏｒｉｎｇ）過程でディスクのディレクトリＤＶＤ＿ＥＮＡＶ内にファイルＤＶＤ＿ＥＮＡＶ．ＩＦＯでないディスク１００に記録されている他のマークアップ文書に＜ｌｉｎｋｒｅｌ＝“ｄｖｄ−ｘｉｆｏ” ｔｙｐｅ＝“ａｐｐｌｉｃａｔｉｏｎ／ｄｖｄ−ｘｉｆｏ” ｈｒｅｆ＝“ｈｔｔｐ：／／ｗｗｗ．ｔｒｉｓｔａｒ．ｃｏｍ／ｆｏｒｅｓｔ２００３．ｉｆｏ”／＞を挿入しておくことによって、特定ＵＲＬから再生制御情報ファイルをダウンロードされて再生することを意図的に指示できる。
【００４３】
これは毎度製作者サーバー装置から再生制御情報ファイルを提供する方式でインタラクティブモード再生を可能にする。なおかつ、ディスク１００の製作時点以後に製作される新たな再生制御構造を予想してディスク製作時点であらかじめ新たな再生制御情報ファイルのリンク情報を含むマークアップ文書をディスク１００に記録して置けば将来に該当ビデオタイトルとマークアップ文書とが共に再生される時、ディスク１００に記録されたリンク情報を通じて得られた新たな再生制御情報に基づき該当ビデオタイトルが再生されて得られたＡＶ画面が埋め込まれた新たなマークアップ文書画面が再生される結果が得られる。
【００４４】
図８は、マークアップ文書画面の内容をアップデートする方法を簡略に説明するための参考図である。ＡＶ画面と共に表示されるマークアップ文書画面にはアンカー８１，８２，８３，８４が配されている。２００１年３月にディスクを製作し、使用者が１９９９ ｂｉｇ ｈｉｔｓ８１を選択するか、または２０００ ｂｉｇ ｈｉｔｓ８２を選択すれば、該当内容がディスクに記録された再生制御情報ファイルであるＤＶＤ＿ＥＮＡＶ．ＩＦＯファイルに基づいて再生される。ところが、ディスク製作時点では、２００１ ｂｉｇ ｈｉｔｓ８３と２００２ ｂｉｇ ｈｉｔｓ８４とにリンクされる再生制御情報ファイルが作れない。将来に使用する再生制御構造が分からないからである。この場合、ディスク製作者はあらかじめアンカー８３，８４だけを作っておき、該当ＵＲＬのサーバー装置に新たな再生制御情報ファイルを載せる方式を通じて新たな再生制御情報ファイルに基づき該当ビデオタイトルを再生してマークアップ文書画面に埋め込まれるＡＶ画面をアップデート可能になる。また、再生制御情報ファイルが再生制御用の目的として作った再生制御情報ファイルなのかを示す情報を制御情報ファイルに載せてダウンロードされたファイルを再生制御用として使用するか、あるいはテキストデータ情報として使用するかの判断も可能にする。すなわち、使用者は該当ＵＲＬにリンクされたファイルが再生制御情報ファイルであると判断されるまでは、対応アンカー８３，８４を選択しても新たに作られたインタラクティブモードの画面を見られず、単にテキストデータ読出し用途としてのみ使用しうる。しかし、再生制御を指示する新たな再生制御情報を記録したファイルを該当ＵＲＬのサーバー装置に載せた後には、その新たな再生制御構造による内容が見られる。
【００４５】
前述したような構成による本発明の望ましい実施例に係る再生方法を説明すれば次の通りである。
【００４６】
図９は、本発明の望ましい一実施例に係る再生方法を説明するためのフローチャートである。使用者が再生装置２００に備えられたディスクデッキにディスク１００を挿入すれば、プレゼンテーションエンジン５はインタラクティブモードにて再生するのに必要な情報、すなわち再生制御情報ファイル及びマークアップ文書のディスク１００への記録有無を確認する（９０１段階）。再生制御情報ファイル及びマークアップ文書が記録されている場合には（９０２段階）、これを読取って該当ビデオタイトルを再生する（９０３段階）。再生制御情報ファイル及びマークアップ文書が記録されていない場合、ネットワークデータ送受信部６はインターネットから対応再生制御情報ファイル及びマークアップ文書を読取ってキャッシュメモリ３に貯蔵する（９０４段階）。特定のビデオタイトルについての再生制御情報ファイル及びマークアップ文書を読取るためのキー値としては、ディスク１００に記録されたディスクまたはビデオタイトルに関する識別子が使われる。プレゼンテーションエンジン５はキャッシュメモリ３に貯蔵された再生制御情報ファイル及びマークアップ文書を用いて該当ビデオタイトルをインタラクティブモードにて再生する（９０５段階）。
【００４７】
図１０は、本発明の望ましい他の実施例に係る再生方法を説明するためのフローチャートである。使用者がインタラクティブＤＶＤまたは従来のＤＶＤ−Ｖｉｄｅｏを再生装置に挿入する（１００１段階）。再生装置は挿入されたディスクがインタラクティブＤＶＤなのか、従来のＤＶＤ−Ｖｉｄｅｏなのかを確認する（１００２段階）。インタラクティブＤＶＤの場合（１００３段階）、インタラクティブモードにて再生するための情報、すなわち再生制御情報ファイルのＤＶＤ＿ＥＮＡＶ．ＩＦＯ及び初期開始マークアップ文書のＩＮＤＥＸ．ＸＭＬをディスクから読取って該当ビデオタイトルをインタラクティブモードにて再生する（１００４段階）。従来のＤＶＤ−Ｖｉｄｅｏであり（１００３段階）、インタラクティブモードによる再生が要求されていないと（１００５段階）、該当ビデオタイトルをビデオモードにて再生する（１００６段階）。
【００４８】
従来のＤＶＤ−Ｖｉｄｅｏであるが（１００３段階）、インタラクティブモードによる再生が要求されれば（例えば、使用者がリモコン４００に備えられたＣｏｎｔｅｎｔ Ｉｎｆｏ５０を押せば）（１００５段階）、再生装置はネットワークデータ送受信部６を通じてインターネットを通じてあらかじめ決定されたインタラクティブサーバー装置に接続して所定のマークアップ文書を読取る（１００７段階）。読み取ったマークアップ文書には再生装置に挿入されたＤＶＤ−Ｖｉｄｅｏの識別子または使用者が再生しようとするビデオタイトルの識別子（例えば、ＩＳＲＣコード）を認識するためのクライアント実行コードが記録されている。クライアント実行コードは、スクリプト言語よりなるソースコードである。但し、クライアント実行コードはプレゼンテーションエンジン５で実行可能な他のプログラム言語として作成されうる。ＤＶＤ−Ｖｉｄｅｏの識別子またはビデオタイトルの識別子は本実施例ではＶＩＤＥＯ＿ＴＳ．ＩＦＯに記録されている。クライアント実行コードは、プレゼンテーションエンジン５で実行されてＤＶＤ−Ｖｉｄｅｏの識別子またはビデオタイトルの識別子を読み取り、ネットワークデータ送受信部６はこれをインタラクティブサーバー装置に伝送する（１００８段階）。インタラクティブサーバー装置は、受信された識別子に対応する新たな再生制御情報ファイルのダウンロードが可能なマークアップ文書のＩＮＤＥＸ．ＸＭＬと類似した機能を有するマークアップ文書をネットワークデータ送受信部６に伝送する（１００９段階）。受信されたマークアップ文書にはリンクタグを通じて該当再生制御情報ファイルがリンクされているか、あるいは該当再生制御情報ファイルのダウンロードが可能なＡＰＩを用いた実行コードが挿入されている。該当再生制御情報ファイルをダウンロードし、これを用いて再生する。この時、再生制御情報ファイルは再生制御目的として作られたことを示す情報がダウンロードされた再生制御情報ファイルに記録されていなければならない（１０１０段階）。一方、再生制御情報ファイルには、該当ビデオタイトルをインタラクティブモードにて再生するのに必要な新たなマークアップ文書の位置を示すＵＲＬ情報、すなわち最初開始マークアップ文書のＩＮＤＥＸ．ＸＭＬの位置を指定することもできる。プレゼンテーションエンジン５はダウンロードされた再生制御情報ファイルを解釈し、新たなインタラクティブモードにて再生するために必要なマークアップ文書を受信して該当ビデオタイトルと共にインタラクティブモードにて再生する（１０１１段階）。前記１００７段階及び１００８段階は、１つの段階として実行され、次いで１００９段階が実行されうる。例えば、ネットワークデータ送受信部６がディスク識別子またはビデオタイトル識別子をインタラクティブサーバー装置に伝送すれば、インタラクティブサーバー装置はこれに応答して直ちに対応再生制御情報ファイルのダウンロードが可能なマークアップ文書を再生装置に伝送する方式として具現されうる。
【００４９】
一方、前述した実施例ではディスクに記録されたコンテンツとしてビデオタイトルを挙げて説明したが、オーディオタイトル、電子ブックなど多様なコンテンツに対して適用可能である。
【００５０】
【発明の効果】
以上述べたように、本発明によれば、インタラクティブモードにて再生するのに必要な情報がディスクに記録されていない場合にも、該当コンテンツをインタラクティブモードにて再生しうる。特に、サーバー装置に貯蔵されている再生制御情報ファイル及びマークアップ文書を修正・更新することによって、コンテンツ製作者は使用者にアップデートされた最新情報を提供でき、新たな形のコンテンツの再生を可能にする。また、将来の新たな再生制御情報ファイルに対するリンク情報を既にディスクに記録しておくことによって、ディスクに記録されたコンテンツを新たな再生制御情報ファイルに基づいて再生可能になる。これにより、インタラクティブ画面の内容をアップデートできる。
【図面の簡単な説明】
【図１】本発明の望ましい実施例に係る再生システムの概要図である。
【図２】図１の再生装置の機能ブロック図である。
【図３】図１のリモコンの一例を示す図である。
【図４】インタラクティブモードを支援するディスクのディレクトリ構造の一例を示す図である。
【図５】インタラクティブモードを支援するディスクを再生する過程を概略的に説明するための参考図である。
【図６】インタラクティブモードを支援しないディスクのディレクトリ構造の一例を示す図である。
【図７】インタラクティブモードを支援しないディスクをインタラクティブモードにて再生する過程を概略的に説明するための参考図である。
【図８】インタラクティブモード再生画面の内容をアップデートする方法を簡略に説明するための参考図である。
【図９】本発明の一実施例に係る再生方法を説明するためのフローチャートである。
【図１０】本発明の他の実施例に係る再生方法を説明するためのフローチャートである。
【符号の説明】
１      読出部
２      バッファメモリ
３      キャッシュメモリ
４      デコーダ
５      プレゼンテーションエンジン
６      ネットワークデータ送受信部
７      ブレンダー
４２    ＤＶＤボタン
４３    数字／特殊文字ボタン
４４    セットアップ
５５    Ｈ／Ｅ
４６    ＳＰ
４７    ＤＥＬ
４８    Ｓｃｒｅｅｎ  Ｍｏｄｅ
４９    Ｍｅｎｕ
５０    Ｃｏｎｔｅｎｔ  Ｉｎｆｏ
５１    Ｅｎｔｅｒ
５２    方向キー
５３    Ａｕｄｉｏ
５４    ＳｕｂＴｉｔｌｅ
５５    Ａｎｇｌｅ
５６    Ｅｘｉｔ
５７    Ｒｅｔｕｒｎ
５８    Ｆｏｃｕｓ  ｃｈａｎｇｅ
１００  ディスク
２００  再生装置
３００  ＴＶ
４００  リモコン
【図１】
0003953405.tif 000005
【図２】
0003953405.tif 000006
【図３】
0003953405.tif 000007
【図４】
0003953405.tif 000008
【図５】
0003953405.tif 000009
【図６】
0003953405.tif 000010
【図７】
0003953405.tif 000011
【図８】
0003953405.tif 000012
【図９】
0003953405.tif 000013
【図１０】
0003953405.tif 000014